(57)【要約】【課題】充電器を使って携帯通信端末のデータバックアップ又はリストアをすることができるとともに、そのデータバックアップ又はリストア処理を安全に行うことができる携帯通信端末のデータバックアップ方法、データバックアップ装置及び携帯通信端末を提供する。【解決手段】携帯電話（電話機）１０に電力を供給する充電部２１と、携帯電話１０から送られてきたデータを保存するバックアップ用メモリであるメモリＢ２２とを有するデータバックアップ装置（充電器）２０において、携帯電話１０のメモリＡ１１に保存されているデータのバックアップ処理及びリストア処理のうちの少なくとも一方を行っている間は携帯電話１０の通信機能を停止させる通信停止機能を有することを特徴とする。【選択図】  図１
2004235985.tif 000002
【特許請求の範囲】
【請求項１】
携帯通信端末に電力を供給する充電部と該携帯通信端末から送られてきたデータを保存するバックアップ用メモリとを有するデータバックアップ装置を用いる携帯通信端末のデータバックアップ方法において、
前記携帯通信端末と前記データバックアップ装置との間で、該携帯通信端末に保存されているデータについてのバックアップ処理又はリストア処理の少なくとも一方の処理を行っているときは、該携帯通信端末の通信機能を停止させることを特徴とする携帯通信端末のデータバックアップ方法。
【請求項２】
携帯通信端末に電力を供給する充電部と該携帯通信端末から送られてきたデータを保存するバックアップ用メモリとを有するデータバックアップ装置を用いる携帯通信端末のデータバックアップ方法において、
前記携帯通信端末とデータバックアップ装置とが電気的に接続され、該データバックアップ装置のバックアップ処理開始ボタンが操作されたときに、該データバックアップ装置は、該携帯通信端末に対して通信機能を停止させる停止信号を送信し、
前記携帯通信端末は、前記停止信号を受信すると自身の通信機能を停止し、
前記データバックアップ装置は、前記携帯通信端末に保存されているデータについてのバックアップ処理又はリストア処理の少なくとも一方の処理が終了したときに、該携帯通信端末に対して通信機能を復帰させる復帰信号を送信し、
前記携帯通信端末は、前記復帰信号を受信すると自身の通信機能を復帰させることを特徴とする携帯通信端末のデータバックアップ方法。
【請求項３】
携帯通信端末に電力を供給する充電部と、該携帯通信端末から送られてきたデータを保存するバックアップ用メモリとを有するデータバックアップ装置において、
前記携帯通信端末に保存されているデータのバックアップ処理又はリストア処理のうちの少なくとも一方の処理を行っている間は該携帯通信端末の通信機能を停止させる通信停止手段を有することを特徴とするデータバックアップ装置。
【請求項４】
前記データバックアップ装置は、
前記バックアップ処理又はリストア処理のうちの少なくとも一方の処理が行われる前に、前記携帯通信端末の通信機能を停止させる停止信号を該携帯通信端末に送信する停止信号送信手段と、
前記バックアップ処理又はリストア処理のうちの少なくとも一方の処理が終了したときに、前記携帯通信端末の通信機能を復帰させる復帰信号を該携帯通信端末に送信する復帰信号送信手段とを有することを特徴とする請求項３に記載のデータバックアップ装置。
【請求項５】
商用電源に接続する接続プラグと、該接続プラグが商用電源に接続されていることを検出しているときのみ前記バックアップ処理又はリストア処理を行うように制御する制御手段と、を備えたことを特徴とする請求項３又は４記載のデータバックアップ装置。
【請求項６】
携帯通信端末のバッテリーに電力を供給する供給手段を備えたデータバックアップ装置に接続可能な携帯通信端末において、
無線通信回線を介してデータの送受信を行う無線通信手段と、
複数のデータを保持している記憶手段と、
前記データバックアップ装置から前記無線通信手段を制御する制御信号を受信する受信手段と、を有し、
前記データバックアップ装置が前記記憶手段のデータをバックアップ処理又はリストア処理するときに前記データバックアップ装置から前記受信手段を介して前記無線通信手段の停止要求を受信した場合は、前記無線通信手段による無線通信回線への接続を停止制御する制御手段と、を備えたことを特徴とする携帯通信端末。
【発明の詳細な説明】
【０００１】
【発明の属する技術分野】
本発明は、充電器を用いた携帯通信端末のデータバックアップ方法、データバックアップ装置及び携帯通信端末に関する。
【０００２】
【従来の技術】
近年、携帯電話の高性能化及び高機能化に伴って、ユーザが携帯電話内のメモリに保存し管理するデータの量及び種類が増大してきている。携帯電話に保存されるデータは、従来、電話番号と名前データからなる電話帳データ程度であったが、この電話帳データも電話番号の桁数が多くなった上、携帯電話が電子メール機能を持ったために電子メールアドレス等も追加され増大してきている。また、携帯電話では、画像表示機能又はカメラ機能が搭載され画像データを扱うようになり、着信メロディ又は音楽再生機能が搭載され音楽データも扱うようになってきている。
【０００３】
このように携帯電話において大量のデータを保存及び管理するようになると、操作間違い又は故障等の不慮の事態によって携帯電話のメモリ上に保存されているデータが消去されてしまうとユーザに与える被害は重大なものとなる。
上記課題を解決するために、携帯電話本体に外部記録装置を接続して外部メディアにデータバックアップを行うもの、又は携帯電話用の充電器にメモリを搭載して充電を行いならがバックアップ又はリストア処理を行う技術が提案されている（例えば、特許文献１参照）。
【０００４】
【特許文献１】
特開平１１−２４３６４７号公報
【０００５】
上記特許文献１に記載されている携帯型電話機のデータバックアップ装置は、充電用端子を有した蓄電部と、情報伝送用インタフェースを有し、充電用端子に携帯電話が接続されると同時にその携帯電話に保存されたデータを読み取って保存するものである。また、特許文献１に記載されている携帯型電話機のデータバックアップ装置は、情報伝送用インタフェースを通してバックアップデータをリストアし、バックアップデータを選択でき、一定条件に該当する場合にデータを自動的に加工する（１１桁変換）。
【０００６】
一方、携帯電話への電子メール送受信機能、音楽再生機能又はゲーム機能の搭載に伴い、電車又は病院内など電話及び電子メールの送受信ができない場所においてもこれらの機能を楽しみたいというユーザのニーズから、携帯電話の中で電話機能だけを停止させる機能を搭載したものも登場してきた。
【０００７】
例えば、既存の携帯電話のなかには「パーソナルモード」と呼ばれるモードを搭載しているものがある。これは、電話及び電子メールの送受信ができない場所（電車内、病院など）でも、「パーソナルモード」をＯＮにすることで、電話機能だけをＯＦＦに設定できるものである。したがって、周りの人にも迷惑をかけずに、音楽再生及びメール作成を楽しむことができる。
【０００８】
【発明が解決しようとする課題】
しかしながら、上記従来の携帯型電話機のデータバックアップ装置などにおいては、データのバックアップ中又はリストア処理中に電子メールの着信又は着呼があった場合、書込み中のデータを保護するために、バックアップ処理又はリストア処理を一旦中断し着信又は着呼に対する応答を行わなければならない。
【０００９】
このようにして、バックアップ中又はリストア中に着信又は着呼の割込みが発生した場合の処理としては、第１に、携帯通信端末はデータの書込み処理が終了するまで着信又は着呼に対する処理（着信報知やデータ受信）を行わず、書込み処理完了後に着信又は着呼に対する処理を行う方法と、第２に、着信又は着呼の割込み発生時にきりのよい所で書込み処理を停止してデータ書込みの進行状況を保存し、着信又は着呼に対する処理の終了後にデータ書込み処理を継続（再開）する方法とが考えられる。
【００１０】
上記第１の方法では、データ書込み処理の終了後に応答を行うため、データ書込みの進行状況及び書込みデータサイズの大きさによっては時間がかかりすぎて、着信を受けない（話中等の理由で着信を拒否する）等の対応が必要になるという問題点がある。
【００１１】
また、上記第２の方法では、バックアップ処理の進行状況を携帯電話、又は充電器側に保持しておき、データ書込み処理再開後はデータ書込みの続きを行うように制御する必要があり、制御が複雑になってしまうという問題点がある。また、上記第２の方法では、電子メールを着信した場合は、電子メールデータを受信すると受信前にバックアップ（リストア）しようとしていた保存データとの差異が発生するために、データの整合性が取れなくなる可能性がある。したがって、バックアップ中の場合はバックアップの取り直しが必要となり、リストア処理中の場合は受信したメールデータが消えてしまう可能性がある。
【００１２】
また、上記従来の携帯型電話機のデータバックアップ装置などでは、携帯電話を充電器と接続してバックアップ（リストア）を行っている時の着信に対して、ユーザが携帯電話を充電器から切り離して着信に応答しようとすると、書込み処理が途中で強制的に切断されるためデータが破壊されてしまうという危険がある。
【００１３】
本発明は、上記問題点を解決するためになされたものであり、充電器を使って携帯通信端末のデータバックアップ又はリストア処理をすることができるとともに、そのデータバックアップ又はリストア処理を安全に行うことができる携帯通信端末のデータバックアップ方法、データバックアップ装置及び携帯通信端末を提供することを目的とする。
【００１４】
【課題を解決するための手段】
上記目的を達成するために、請求項１に記載の発明は、携帯通信端末に電力を供給する充電部と該携帯通信端末から送られてきたデータを保存するバックアップ用メモリとを有するデータバックアップ装置を用いる携帯通信端末のデータバックアップ方法において、前記携帯通信端末と前記データバックアップ装置との間で、該携帯通信端末に保存されているデータについてのバックアップ処理又はリストア処理の少なくとも一方の処理を行っているときは、該携帯通信端末の通信機能を停止させることを特徴とする。
このようにすると、携帯通信端末のデータについてのバックアップ処理又はリストア処理の開始時に、自動的に携帯通信端末の通信機能（電話機能）だけを停止させた上で、該バックアップ処理又はリストア処理におけるデータの書込みを行い、そのデータ書込みが終了した後に、携帯通信端末の通信機能を自動的に復活させることができる。このため、バックアップ処理又はリストア処理の途中で着信が生じることを回避することができ、その着信にユーザが応答しようとして、バックアップ処理又はリストア処理中に携帯通信端末とデータバックアップ装置間のデータ伝送経路を強制的に切断することによるデータ破壊を防止することができる。
また、このようにすると、バックアップ処理又はリストア処理におけるデータ書込み時に着信が発生しないので、上記本発明が解決しようとする課題において説明したような、「バックアップ処理などの途中で着信のあった場合に、バックアップ処理などの進行状況を携帯通信端末又はデータバックアップ装置に保持しておき、データ書き込み処理の再開後にデータ書き込みの続きをするという」複雑な制御をする必要がなくなる。
また、携帯通信端末の通信機能（電話機能）だけを停止させる機能は既存の携帯通信端末に搭載されているものもあり、本発明は、その機能をデータバックアップ装置（充電器）側から呼び出すだけでよいので、従来の携帯通信端末及びデータバックアップ装置に対して大きな機能追加をせずに実現することができる。
【００１５】
請求項２に記載の発明は、携帯通信端末に電力を供給する充電部と該携帯通信端末から送られてきたデータを保存するバックアップ用メモリとを有するデータバックアップ装置を用いる携帯通信端末のデータバックアップ方法において、前記携帯通信端末とデータバックアップ装置とが電気的に接続され、該データバックアップ装置のバックアップ処理開始ボタンが操作されたときに、該データバックアップ装置は、該携帯通信端末に対して通信機能を停止させる停止信号を送信し、前記携帯通信端末は、前記停止信号を受信すると自身の通信機能を停止し、前記データバックアップ装置は、前記携帯通信端末に保存されているデータについてのバックアップ処理又はリストア処理の少なくとも一方の処理が終了したときに、該携帯通信端末に対して通信機能を復帰させる復帰信号を送信し、前記携帯通信端末は、前記復帰信号を受信すると自身の通信機能を復帰させることを特徴とする。
このようにすると、ユーザなどによるバックアップ処理開始ボタンの操作に応じて、携帯通信端末の通信機能が停止し、その後、バックアップ処理又はリストア処理が行われ、その処理の終了後、携帯通信端末の通信機能が復帰する。このため、バックアップ処理又はリストア処理中に携帯通信端末とデータバックアップ装置間のデータ伝送経路を強制的に切断することによるデータ破壊を防止することができ、上記のような複雑な制御をする必要がなくなる。また、本発明は、従来の携帯通信端末及びデータバックアップ装置に対して大きな機能追加をせずに実現することができる。
【００１６】
請求項３に記載の発明は、携帯通信端末に電力を供給する充電部と、該携帯通信端末から送られてきたデータを保存するバックアップ用メモリとを有するデータバックアップ装置において、前記携帯通信端末に保存されているデータのバックアップ処理又はリストア処理のうちの少なくとも一方の処理を行っている間は該携帯通信端末の通信機能を停止させる通信停止手段を有することを特徴とする。
【００１７】
請求項４に記載の発明は、前記データバックアップ装置は、前記バックアップ処理又はリストア処理のうちの少なくとも一方の処理が行われる前に、前記携帯通信端末の通信機能を停止させる停止信号を該携帯通信端末に送信する停止信号送信手段と、前記バックアップ処理又はリストア処理のうちの少なくとも一方の処理が終了したときに、前記携帯通信端末の通信機能を復帰させる復帰信号を該携帯通信端末に送信する復帰信号送信手段とを有することを特徴とする。
【００１８】
請求項５に記載の発明は、商用電源に接続する接続プラグと、該接続プラグが商用電源に接続されていることを検出しているときのみ前記バックアップ処理又はリストア処理を行うように制御する制御手段と、を備えたことを特徴とする。
【００１９】
請求項６に記載の発明は、携帯通信端末のバッテリーに電力を供給する供給手段を備えたデータバックアップ装置に接続可能な携帯通信端末において、無線通信回線を介してデータの送受信を行う無線通信手段と、複数のデータを保持している記憶手段と、前記データバックアップ装置から前記無線通信手段を制御する制御信号を受信する受信手段と、を有し、前記データバックアップ装置が前記記憶手段のデータをバックアップ処理又はリストア処理するときに前記データバックアップ装置から前記受信手段を介して前記無線通信手段の停止要求を受信した場合は、前記無線通信手段による無線通信回線への接続を停止制御する制御手段と、を備えたことを特徴とする。
【００２０】
【発明の実施の形態】
以下、図面を参照し、本発明の一実施形態に係る携帯通信端末のデータバックアップ方法、データバックアップ装置及び携帯通信端末について説明する。本実施形態では、携帯通信端末の一例として携帯電話を挙げて説明する。
【００２１】
図１は本発明の実施形態に係るデータバックアップ装置と携帯電話（電話機）を示すブロック図である。携帯電話（電話機）１０は、各種データを保存するメモリＡ１１と、電話の発着信及びデータの送受信を行う無線部１２と、この携帯電話の各構成要素を制御する制御部Ａ１３と、バッテリー１４と、データバックアップ装置の充電部と接続される充電端子１５と、データバックアップ装置に対するデータ送受信用のデータ端子１６とを備えている。
また、携帯電話１０には、その携帯電話がもつ各種機能のうちで電話機能だけを停止させる電話機能停止手段（通信停止機能）が搭載されており、この機能の有効／無効がデータ端子１６を通じてデータバックアップ装置（充電器）側から制御可能となっている。
【００２２】
データバックアップ装置（充電器）２０は、携帯電話１０と接続された際にその携帯電話１０のバッテリー１４に電力を供給して充電する充電部２１と、携帯電話１０のメモリＡ１１から読み出したデータを保存するバックアップ用メモリであるメモリＢ２２と、バックアップ操作などを行うためのバックアップ処理開始ボタン、リストア処理開始ボタン及び情報設定用の入力手段などからなる操作部２３と、このデータバックアップ装置２０の各構成要素を制御する制御部Ｂ２４と、携帯電話１０のバッテリー１４と接続される充電端子２５と、携帯電話１０に対するデータ送受信用のデータ端子２６とを備えている。
【００２３】
また、データバックアップ装置２０は、携帯通信端末１０のメモリＡ１１に保存されているデータのバックアップ処理又はリストア処理を行っている間、携帯通信端末１０の電話機能（通信機能）を停止させる通信停止機能を有する。また、データバックアップ装置２０は、充電処理又はバックアップ処理の進行状況などをユーザに通知するためにＬＥＤなどからなる表示部を有していてもよい。
【００２４】
次に、データバックアップ装置２０が携帯電話１０のメモリＡ１１に保存されているデータについてバックアップ処理をする場合の動作について、図２を参照して説明する。先ず、ユーザが携帯電話１０をデータバックアップ装置２０に接続する（Ｓ１）。これにより、携帯電話１０の充電端子１５とデータバックアップ装置２０の充電端子２５が接続され、さらに携帯電話１０のデータ端子１６とデータバックアップ装置２０のデータ端子２６が接続される。すると、データバックアップ装置２０から電力の供給があると、携帯電話１０の制御部Ａ１１は、バッテリー１４の残量を検出し（Ｓ２）、充電が必要であれば充電処理を開始する（Ｓ３，Ｓ４）。
【００２５】
次いで、ユーザによりデータバックアップ装置２０の操作部２３に設けられたバックアップ処理開始ボタンが操作される（Ｓ５）。すると、この時に、データバックアップ装置２０の電源プラグ２７が商用電源に接続されているか否かを検出する（Ｓ６）。接続されていない場合はバックアップ処理を行わず（Ｓ７）、データバックアップ装置２０に表示部がある場合は、その旨の表示をする（Ｓ８）。また、電源プラグ２７が商用電源に接続されている場合は、データバックアップ装置２０の制御部Ｂ２４が、データ端子１６，２６を介して携帯電話１０の制御部Ａ１３に対して電話機能（通信機能）の停止を要求する（Ｓ９）。この電話機能の停止要求は、制御部Ｂ２４が携帯通信端末１０の通信機能を停止させる停止信号をデータ端子１６，２６を介して携帯通信端末に送信する（停止信号送信機能）ことによって行われる。
【００２６】
すると、携帯電話１０の制御部Ａ１３は、無線部１２の動作を停止させることで携帯電話１０の電話機能を停止させる（Ｓ１０）。次いで、バックアップ処理を開始する（Ｓ１１）。すなわち、メモリＡ１１に保存されているデータを、データ端子１６，２６を介してデータバックアップ装置２０側のメモリＢ２２にコピーする。この時、メモリＡ１１全体のコピーを行ってもよいし、ユーザの設定に応じて指定されたデータのみコピーを行ってもよい。
【００２７】
データのコピーが終了したら（Ｓ１２）、データバックアップ装置２０の制御部Ｂ２４は携帯電話１０の制御部Ａ１３に対して電話機能の復帰を要求する（Ｓ１３）。この電話機能の復帰要求は、制御部Ｂ２４が携帯通信端末１０の電話機能を復帰させる復帰信号をデータ端子１６，２６を介して携帯通信端末１０に送信する（復帰信号送信機能）ことによって行われる。すると、制御部Ａ１３は、無線部１２を起動させることで携帯電話１０の電話機能を復帰させる（Ｓ１４）。次いで、制御部Ａ１３は制御部Ｂ２４に対して携帯電話１０の電話機能が復帰したことを通知する（Ｓ１５）。これにより、制御部Ｂ２４はバックアップ処理を終了する。データバックアップ装置２０において表示部にバックアップ中の旨の表示を行っている場合はその表示を消す。なお、リストア処理については、データの流れが充電器から端末に変わるだけで、上記バックアップ処理と手順は変わらない。
【００２８】
これらにより、本実施形態によれば、携帯電話１０のメモリＡ１１に保存されているデータのバックアップ処理又はリストア処理の開始時に、自動的にその携帯電話１０の電話機能（通信機能）だけを停止させた上で、そのバックアップ処理又はリストア処理におけるデータの書込みを行い、そのデータ書込みが終了した後に、携帯電話１０の電話機能を自動的に復活させることができる。このため、バックアップ処理又はリストア処理の途中で着信が生じることを回避することができ、その着信にユーザが応答しようとして、バックアップ処理又はリストア処理中に携帯電話１０とデータバックアップ装置２０間のデータ伝送経路（データ端子１６，２６）を強制的に切断することによるデータ破壊を防止することができる。
【００２９】
また、本実施形態によれば、バックアップ処理又はリストア処理におけるデータ書込み時に着信が発生しないので、上記本発明が解決しようとする課題において説明したような、「バックアップ処理などの途中で着信のあった場合に、バックアップ処理などの進行状況を携帯通信端末又はデータバックアップ装置に保持しておき、データ書き込み処理の再開後にデータ書き込みの続きをするという」複雑な制御をする必要がなくなる。
【００３０】
また、携帯電話１０の電話機能だけを停止させる機能は既存の携帯電話に搭載されているものもあり、本実施形態は、その機能をデータバックアップ装置２０（充電器）側から呼び出すだけでよいので、従来の携帯電話及びデータバックアップ装置に対して大きな機能追加をせずに実現することができる。
【００３１】
以上、本発明の実施形態について図面を参照して詳述してきたが、具体的な構成はこの実施形態に限られるものではなく、本発明の要旨を逸脱しない範囲の設計変更等も含まれる。
【００３２】
例えば、通信機能の停止／復帰要求をバックアップ処理の開始／終了メッセージと兼用してもよいし、また、携帯通信端末の通信機能が復帰したことをデータバックアップ装置に通知するのは、携帯通信端末が復帰要求（終了メッセージ）を受け取ったことを示すＡＣＫでもよい。
【００３３】
なお、音楽データや画像データを複数扱えばデータ量が多くなりバックアップ処理やリストア処理の時間が長くなってしまう。このように処理の時間が長くなり、バックアップ処理やリストア処理中に携帯通信端末のバッテリー電圧が下がって（バッテリー残量が減って）、前記処理が停止しないように、データバックアップ装置の電源プラグ２７が商用電源に接続されていることを検出した後に図２のバックアップ処理などを行うように制御部Ｂが制御するようにしてもよい。これにより、バックアップ又はリストア処理をより安全に行うことができる。
【００３４】
上記実施形態では、携帯通信端末として携帯電話を挙げているが、本発明はこれに限定されるものではなく、ＰＨＳ（Ｐｅｒｓｏｎａｌ  Ｈａｎｄｙｐｈｏｎｅ  Ｓｙｓｔｅｍ）、ノート型パーソナルコンピュータ、ＰＤＡ（Ｐｅｒｓｏｎａｌ  Ｄｉｇｉｔａｌ  Ａｓｓｉｓｔａｎｃｅ）などの通信端末に本発明を適用してもよい。
【００３５】
【発明の効果】
以上説明したように、本発明によれば、携帯通信端末に保存されているデータのバックアップ処理又はリストア処理を行っている間はその携帯通信端末の通信機能（電話機能）を停止させるので、そのバックアップ処理又はリストア処理において複雑な制御をすることなくデータ破壊を防止することができる。
【図面の簡単な説明】
【図１】本発明の実施形態に係るデータバックアップ装置（充電器）と携帯電話（電話機）を示すブロック図である。
【図２】バックアップ処理を示すフローチャートである。
【符号の説明】
１０；携帯電話（電話機）、１１；メモリＡ、１２；無線部、１３；制御部Ａ、１４；バッテリー、１５，２５；充電端子、１６，２６データ端子、２０；データバックアップ装置（充電器）、２１；充電部、２２；メモリＢ、２３；操作部、２４；制御部Ｂ、２７；電源プラグ
【図１】
2004235985.tif 000003
【図２】
2004235985.tif 000004